(57)【要約】【課題】底板を内側へ押し込んでの収容物の抜き取りや入れ替えを効果的に防止し得る収納箱を提供する。【解決手段】２つの底板３Ｆ、３Ｒに、直方体状に組み立てた組立姿勢において、隣接する残りの底板３Ｌ、３Ｂに少なくとも一部が重なり合って配置される重合部７、８を形成するとともに、前記２つの底板３Ｆ、３Ｒに折曲案内線９、１０をそれぞれ形成し、折曲案内線９、１０よりも外側において重合部７、８を隣接する残りの底板３Ｌ、３Ｂに接合することで、折曲案内線９、１０に沿って前記２つの底板３Ｆ、３Ｒを折り曲げて、組立姿勢から略平板な折畳姿勢へ切り換え可能となした収納箱であって、４つの底板３のうち組立姿勢において収納箱の最も内側に配置される第１底板３Ｂを収納箱の底面と略同じ大きさに形成し、組立姿勢から折畳姿勢側への第１底板３Ｂの回動を規制する第１規制構造２０Ａを設けた。【選択図】        図２
2007186227.tif 000002
【特許請求の範囲】
【請求項１】
４つの側板と、これら４つの側板の下端に連設した４つの底板とを備え、２つの底板に、直方体状に組み立てた組立姿勢において、隣接する残りの底板に少なくとも一部が重なり合って配置される重合部を形成するとともに、前記２つの底板に、組立姿勢における収納箱底面の一方の対角上に配置される１対の角部から内側へ延びる折曲案内線をそれぞれ形成し、折曲案内線よりも外側において重合部を隣接する底板に接合することで、折曲案内線に沿って前記２つの底板を折り曲げて、組立姿勢から略平板な折畳姿勢へ切り換え可能となした収納箱であって、
前記４つの底板のうち組立姿勢において収納箱の最も内側に配置される第１底板を収納箱の底面と略同じ大きさに形成し、
前記組立姿勢から折畳姿勢側への第１底板の回動を規制する第１規制構造を設けた、
ことを特徴とする収納箱。
【請求項２】
前記第１規制構造として、第１底板の遊端部に、第１底板に連設の第１側板に対面して設けた第２側板に沿って立起する立起部を形成し、第２側板にその上縁部を内側へ折り返して、下端部が立起部の上端部に係合する係止部を形成した請求項１記載の収納箱。
【請求項３】
前記立起部の上端部と係止部の下端部の少なくとも一方を波形状に形成した請求項２記載の収納箱。
【請求項４】
前記第１規制構造として、第１底板の遊端部の側縁に、組立姿勢において側板の内面に圧接される規制片を形成した請求項１記載の収納箱。
【請求項５】
前記第１規制構造として、第１底板の遊端部の側縁に規制片を形成し、第１底板の遊端部に対面する側板に、規制片が嵌合するスリットを形成した請求項１記載の収納箱。
【請求項６】
前記第１底板の遊端部に、第１底板に連設の第１側板に対面して設けた第２側板に沿って立起する立起部を形成し、立起部の側縁に規制片を設けた請求項４又は５記載の収納箱。
【請求項７】
前記第１規制構造として、第１底板の遊端部に、第１底板に連設の第１側板に対面して設けられる第２側板に沿って立起する立起部を形成し、立起部の側縁に、側板の端部を接合するための糊代部の下端に係合する規制部を形成した請求項１記載の収納箱。
【請求項８】
４つの側板と、これら４つの側板の下端に連設した４つの底板とを備え、２つの底板に、直方体状に組み立てた組立姿勢において、隣接する残りの底板に少なくとも一部が重なり合って配置される重合部を形成するとともに、前記２つの底板に、組立姿勢における収納箱底面の一方の対角上に配置される１対の角部から内側へ延びる折曲案内線をそれぞれ形成し、折曲案内線よりも外側において重合部を隣接する底板に接合することで、折曲案内線に沿って前記２つの底板を折り曲げて、組立姿勢から略平板な折畳姿勢へ切り換え可能となした収納箱であって、
前記４つの底板のうち組立姿勢において収納箱の最も内側に配置される第１底板を収納箱の底面と略同じ大きさに形成し、
前記折曲案内線を形成した２つの底板に、組立姿勢において係合して、第１底板の折畳姿勢側への回動を間接的に規制する係合部からなる第２規制構造を設けた、
ことを特徴とする収納箱。
【請求項９】
前記請求項１〜７のいずれか１項記載の第１規制構造を備えた請求項８記載の収納箱。
【発明の詳細な説明】
【技術分野】
【０００１】
本発明は、組立姿勢と折畳姿勢とにワンタッチで切り換え可能な収納箱に関する。
【背景技術】
【０００２】
組立姿勢と折畳姿勢とにワンタッチで切り換え可能な収納箱が種々提案され実用化されている（例えば、特許文献１参照。）。
【０００３】
通常、前記収納箱に対して食品や医薬品等を収容する場合には、一度剥がすと再度貼り付けることができない改ざん防止シールや、一度剥がすと「開封済」などの文言が表示されるようになした改ざん防止シールなどを収納箱上部の開閉蓋に貼り付けて閉蓋したり、収納箱全体をシュリンクフィルムで被覆したりして、内容物の抜き取りや入れ替えを防止するとともに、万一、内容物の抜き取りや入れ替えがなされた場合でもそれを容易に発見できるように構成している。
【０００４】
【特許文献１】実開昭５７−１８０６１７号公報
【発明の開示】
【発明が解決しようとする課題】
【０００５】
本出願人は、前記特許文献１に記載の収納箱では、底板を収納箱の内側へ折り曲げながら略平板状の折畳姿勢に切り換える関係上、少し無理をすれば、開閉蓋を開放するまでもなく、底板を内側へ折り曲げて収納箱に収容した内容物を抜き取ったり、他のものと入れ替えたりすることができることを発見し、改ざん防止シールで開閉蓋を閉蓋した場合でも、底板を内側へ押し込んで、収容物を抜き取ったり入れ替えたりできるという問題があることを見出した。しかも、このようにして内容物を抜き取ったり入れ替えたりした場合には、改ざん防止シールが剥がされていないことから、抜き取りや入れ替えの発見が遅れ、犯人の特定が難しくなったり、内容物の抜き取りや入れ替え知らずにその商品を販売したりしてしまうことも考えられる。
【０００６】
本発明の目的は、底板を内側へ押し込んでの収容物の抜き取りや入れ替えを効果的に防止し得る収納箱を提供することである。
【課題を解決するための手段】
【０００７】
本発明に係る第１の収納箱は、４つの側板と、これら４つの側板の下端に連設した４つの底板とを備え、２つの底板に、直方体状に組み立てた組立姿勢において、隣接する残りの底板に少なくとも一部が重なり合って配置される重合部を形成するとともに、前記２つの底板に、組立姿勢における収納箱底面の一方の対角上に配置される１対の角部から内側へ延びる折曲案内線をそれぞれ形成し、折曲案内線よりも外側において重合部を隣接する底板に接合することで、折曲案内線に沿って前記２つの底板を折り曲げて、組立姿勢から略平板な折畳姿勢へ切り換え可能となした収納箱であって、前記４つの底板のうち組立姿勢において収納箱の最も内側に配置される第１底板を収納箱の底面と略同じ大きさに形成し、前記組立姿勢から折畳姿勢側への第１底板の回動を規制する第１規制構造を設けたものである。
【０００８】
この第１収納箱では、収納箱の最も内側に配置される第１底板の大きさが、収納箱の底面と略同じ大きさに設定され、第１底板と開閉蓋間に収納箱に収容した内容物が常時配置されるので、底板を内側へ押し込もうとしても、内容物の上方への移動が開閉蓋により規制されて、第１底板の折畳姿勢側への回動が規制される。しかも、第１底板により収納箱の底面全体が閉塞されるので、第１底板と側板間へ手指を入れることが困難になるので、内容物の抜き取りや入れ替えが効果的に阻止される。更に、第１規制構造により第１底板の折畳姿勢側への回動が規制されるので、底板を内側へ押し込んで、内容物を抜き取ったり入れ替えたりすることが効果的に防止されることになる。
【０００９】
ここで、前記第１規制構造の第１実施形態として、第１底板の遊端部に、第１底板に連設の第１側板に対面して設けた第２側板に沿って立起する立起部を形成し、第２側板にその上縁部を内側へ折り返して、下端部が立起部の上端部に係合する係止部を形成することが好ましい。第１底板の一部を側板の内面などに圧接させて、第１底板の回動を規制することも可能であるが、この発明のように、立起部の上端部と係止部の下端部とを係合させて、第１底板の折畳姿勢側への回動を規制すると、第１底板の折畳姿勢側への回動を摩擦抵抗などに依存することなく効果的に防止することができる。
【００１０】
第１実施形態における第１規制構造としては、単に両者を突き合わせて配置する構造を採用することも可能であるが、立起部の上端部の一部又は全部が係止部と側板間に嵌まり込むように配置することもできる。立起部の上端部と係止部の下端部とを突き合わせる場合には、係止部を側板に糊付けすることが好ましい。つまり、立起部には素材の復元力により外側へ広がろうとする力が作用するが、係止部には素材の復元力により内側へ広がろうとする力が作用するので、立起部の上端部が係止部の下端部に確実に当接されるように、係止部を側板に糊付けすることが好ましい。立起部の上端部の一部又は全部が係止部と側板間に嵌まり込むように配置する場合には、係止部の下端部と側板間に隙間を形成し、第１底板を折畳姿勢側へ回動させた際には、係止部と側板間に立起部が嵌まりこんで、第１底板が立起部と係止部の高い方の高さまでしか折畳姿勢側へ回動しないように構成したり、立起部と係止部の少なくとも一方を波形状に形成し、第１底板を折畳姿勢側へ回動させた際には、両者が相互に噛み合うように構成したりすることができる。
【００１１】
前記第１実施形態において、前記立起部の上端部と係止部の下端部の少なくとも一方を波形状に形成することも好ましい。立起部又は係止部の一方を波形状に形成する場合には、波形部分の１つの波が係止部又は立起部から外れたとしても、残りの波と係止部又は立起部との当接関係が維持されるので、第１底板の折畳姿勢側への回動を効果的に防止できる。また、立起部の上端部と係止部の下端部とを相互に嵌合する波形状に形成した場合には、前記と同様の作用が得られるとともに、立起部の上端部と係止部の下端部との接触面積を増やして、第１底板の折畳姿勢側への回動を一層効果的に防止できる。
【００１２】
前記第１規制構造の第２実施形態として、第１底板の遊端部の側縁に、組立姿勢において側板の内面に圧接される規制片を形成することも好ましい。この場合には、簡単な構成で第１底板の折畳姿勢側への回動を規制することができる。
【００１３】
前記第１規制構造の第３実施形態として、第１底板の遊端部の側縁に規制片を形成し、第１底板の遊端部に対面する側板に、規制片が嵌合するスリットを形成することも好ましい実施の形態である。この場合には、規制片とスリットとの係合により、第１底板の折畳姿勢側への回動を効果的に防止できる。
【００１４】
前記第２及び第３実施形態において、前記第１底板の遊端部に、第１底板に連設の第１側板に対面して設けた第２側板に沿って立起する立起部を形成し、立起部の側縁に規制片を設けることができる。特に、規制片とスリットとの係合により、第１底板の折畳姿勢側への回動を規制する場合には、第１底板の折畳姿勢への回動時に規制片の面内方向に対して力が作用することになるので、規制片の変形によるスリットからの規制片の脱落を効果的に防止できる。
【００１５】
前記第１規制構造の第４実施形態として、第１底板の遊端部に、第１底板に連設の第１側板に対面して設けられる第２側板に沿って立起する立起部を形成し、この立起部の側縁に、側板の端部を接合するための糊代部の下端に係合する規制部を形成することもできる。このように構成すると、既存の糊代部分を有効活用して、第１底板の折畳姿勢側への回動を効果的に防止できる。
【００１６】
尚、前記第１〜第４実施形態の第１規制構造は、任意に組み合わせて併用することができる。
【００１７】
本発明に係る第２の収納箱は、４つの側板と、これら４つの側板の下端に連設した４つの底板とを備え、２つの底板に、直方体状に組み立てた組立姿勢において、隣接する残りの底板に少なくとも一部が重なり合って配置される重合部を形成するとともに、前記２つの底板に、組立姿勢における収納箱底面の一方の対角上に配置される１対の角部から内側へ延びる折曲案内線をそれぞれ形成し、折曲案内線よりも外側において重合部を隣接する底板に接合することで、折曲案内線に沿って前記２つの底板を折り曲げて、組立姿勢から略平板な折畳姿勢へ切り換え可能となした収納箱であって、前記４つの底板のうち組立姿勢において収納箱の最も内側に配置される第１底板を収納箱の底面と略同じ大きさに形成し、前記折曲案内線を形成した２つの底板に、組立姿勢において係合して、第１底板の折畳姿勢側への回動を間接的に規制する係合部からなる第２規制構造を設けたものである。
【００１８】
この第２の収納箱では、第１の収納箱と同様に、収納箱の最も内側に配置される第１底板の大きさが、収納箱の底面と略同じ大きさに設定され、第１底板と開閉蓋間に収納箱に収容した内容物が常時配置されるので、底板を内側へ押し込もうとしても、内容物の上方への移動が開閉蓋により規制されて、第１底板の折畳姿勢側への回動が規制される。しかも、第１底板により収納箱の底面全体が閉塞されるので、第１底板と側板間へ手指を入れることが困難になるので、内容物の抜き取りや入れ替えが効果的に阻止される。また、折曲案内線を形成した２つの底板に、組立姿勢において係合して、第１底板の折畳姿勢側への回動を間接的に規制する係合部からなる第２規制構造を設けているので、組立姿勢において折曲案内線を形成した２つの底板の係合部同士が係合して、両底板の折畳姿勢側への回動が規制されるとともに、それに伴なって第１底板の折畳姿勢側への回動が間接的に規制されるので、底板を内側へ押し込んで、内容物を抜き取ったり入れ替えたりすることが効果的に防止されることになる。
【００１９】
ここで、本発明に係る第２の収納箱において、前記請求項１〜７のいずれか１項記載の第１規制構造を備えることが好ましい実施の形態である。このように構成すると、第１規制構造と第２規制構造とにより、第１底板の折畳姿勢側への回動を一層効果的に防止することができる。
【発明の効果】
【００２０】
本発明に係る収納箱によれば、組立姿勢と折畳姿勢とにワンタッチで姿勢切り換え可能なワンタッチ式の収納箱に構成しつつ、第１底板の折畳姿勢側への回動を第１規制構造及び／又は第２規制構造により規制して、底板が収納箱の内側へ容易には持ち上がらないように構成することで、収納箱内に収容した内容物の抜き取りや、入れ替えによる不具合を効果的に防止できる。
【発明を実施するための最良の形態】
【００２１】
以下、本発明の実施の形態について図面を参照しながら説明する。
図１〜図３に示すように、収納箱１は、４つの側板２と、これら４つの側板２の下端に連設した４つの底板３と、対向する１対の側板２の上端に連設した１対の側部翼板４、５と、残りの側板２の一方の上端に連設した開閉蓋６を備え、２つの底板３に、直方体状に組み立てた組立姿勢において、隣接する残りの底板３に少なくとも一部が重なり合って配置される重合部７、８を形成するとともに、前記２つの底板２に、組立姿勢における収納箱底面の一方の対角上に配置される１対の角部から内側へ延びる折曲案内線９、１０をそれぞれ形成し、折曲案内線９、１０よりも外側において重合部７、８を隣接する底板３に接合することで、折曲案内線９、１０に沿って前記２つの底板３を折り曲げて、組立姿勢から略平板な折畳姿勢へ切り換え可能となし、４つの底板３のうち組立姿勢において収納箱１の最も内側に配置される第１底板３を収納箱１の底面と略同じ大きさに形成し、組立姿勢から折畳姿勢側への第１底板３の回動を規制する第１規制構造２０Ａを設けたものである。
【００２２】
収納箱１を構成する素材としては、厚紙や厚紙に合成樹脂フィルムをラミネートした積層シートや厚手の合成樹脂フィルム等を採用することができる。
【００２３】
先ず、収納箱１の基本構成について説明する。尚、本実施の形態では、図１に示す組立姿勢における収納箱１を基準に、前後左右を定義して説明する。
【００２４】
図２は、打ち抜き状態での素材シートを示すもので、収納箱１の前側板２Ｆ（これが第２側板に相当する。）には左側板２Ｌ及び右側板２Ｒとが折目線Ｌ１、Ｌ２を挟んで連設され、右側板２Ｒには後側板２Ｂ（これが第１側板に相当する。）が折目線Ｌ３を挟んで連設され、左側板２Ｌには折目線Ｌ４を挟んで糊代部１１が連設され、４つの側板２は、糊代部１１を後側板２Ｂに貼着することで平面視方形状に組み立てられている。
【００２５】
左右の側板２Ｌ、２Ｒの上端には折目線Ｌ５、Ｌ６を挟んで左右の側部翼板４、５が回動自在に連設され、後側板２Ｂの上端には折目線Ｌ７を挟んで開閉蓋６が回動自在に連設されている。開閉蓋６の遊端部には閉蓋時に収納箱１内に挿入する挿入片１２が折目線Ｌ８を挟んで形成され、図１に示すように、収納箱１を組み立てた状態で、左右の側部翼板４、５を内側へ倒し、開閉蓋６を前側へ倒して、挿入片１２を前側板２Ｆの内側に沿って挿入することで、開閉蓋６を閉蓋できるように構成されている。
【００２６】
左側板２Ｌの下端には折目線Ｌ９を挟んで台形状の左底板３Ｌが回動自在に連設され、右側板２Ｒの下端には折目線Ｌ１０を挟んで略Ｌ字状の右底板３Ｒが回動自在に連設され、前側板２Ｆの下端には折目線Ｌ１１を挟んで略Ｌ字状の前底板３Ｆが回動自在に連設され、後側板２Ｂの下端には折目線Ｌ１２を挟んで方形状の後底板３Ｂ（これが第１底板に相当する。）が回動自在に連設されている。尚、折目線Ｌ１〜Ｌ１２は、それに沿って素材シートを折り曲げ易くするために形成したもので、細長い条溝を素材シートに型付けしたり、素材シートをハーフカットしたりするなど、周知の方法により形成されている。また、後述する折目線Ｌ１３、Ｌ１４に関しても、同様に構成されている。
【００２７】
前底板３Ｆにはその左前端部から折目線Ｌ１１に対して約４５°の傾斜角度で斜め後方へ延びる折曲案内線９が形成され、右底板３Ｒにはその右後端部から折目線Ｌ１０に対して約４５°の傾斜角度で斜め前方へ延びる折曲案内線１０が形成され、後底板３Ｂにはその右後端部から斜め前方へ延びる折曲案内線１３が形成されている。尚、折曲案内線９、１０、１３は、細長い条溝を素材シートに型付けしたり、素材シートをハーフカットしたりするとともに、その途中部にミシン目或いは切り込みを一定間隔おきに形成したもので、折目線Ｌよりも容易に折曲できるように構成されている。
【００２８】
前底板３Ｆの折曲案内線９よりも左後側には左底板３Ｌの下側に重ね合わされる重合部７が形成され、この重合部７における図２に示すハッチングで示す貼着部１４を左底板３Ｌの貼着部１５に糊付けることで、前底板３Ｆと左底板３Ｌとは貼着されている。右底板３Ｒの折曲案内線１０よりも左後側には後底板３Ｂの下側に重ね合わされる重合部８が形成され、この重合部８における図２に示すハッチングで示す貼着部１６を後底板３Ｂの貼着部１７に糊付けることで、右底板３Ｒと後底板３Ｂとは貼着されている。左底板３Ｌ及び前底板３Ｆとは後底板３Ｂの下側に配置され、前底板３Ｆの右端部は右底板３Ｒと後底板３Ｂ間に挿入され、折曲案内線９、１０に沿って前底板３Ｆ及び右底板３Ｒを上側へ折り曲げるとともに、それに連動させて底板３Ｆ、３Ｒ、３Ｂ、３Ｌをそれぞれ折目線Ｌ１１、Ｌ１０、Ｌ１２、Ｌ９に沿って折り曲げながら、収納箱１の左前端部と右後端部を相互に離間させて、収納箱１を略平板状に折り畳めるように構成されている。
【００２９】
後底板３Ｂは組立姿勢における収納箱１の底面と略同じ大きさに設定されている。後底板３Ｂの折曲案内線１３は、収納箱１を組立姿勢から折畳姿勢へ、あるいは反対に姿勢を切り換えるときに、この折曲案内線１３に沿って後底板３Ｂが折れ曲がることで、後底板３Ｂの右側縁が右側板２Ｒの内面に当たっても、収納箱１を容易に姿勢切換できるように構成されている。
【００３０】
本発明は、前述のような基本構成の収納箱１において、収納箱１の最も内側に配置される後底板３Ｂの遊端部に組立姿勢から折畳姿勢側への後底板３Ｂの回動を規制する第１規制構造２０を設けたことを特徴とするものである。
【００３１】
第１実施形態の第１規制構造２０Ａは、図１〜図３に示すように、組立姿勢において前側板２Ｆに沿って立起する立起部２１を後底板３Ｂの前端部（遊端部）に折目線Ｌ１３を挟んで形成し、前側板２Ｆの上端部に折目線Ｌ１４を挟んで内側へ折り返した係止部２２を形成し、収納箱１の組立姿勢において立起部２１と係止部２２とを略隙間なく、突き合せ可能に設けたものである。
【００３２】
立起部２１及び係止部２２は、後底板３Ｂ及び前側板２Ｆの全長に設けることが好ましいが、部分的に設けることもできる。立起部２１及び係止部２２の高さは、任意に設定することができる。係止部２２は前側板２Ｆの内側へ折り返されて前側板２Ｆに糊付けされ、組立姿勢において後底板３Ｂを内側へ押し込む上方への大きな力が作用しても、立起部２１が係止部２２に当接することで、後底板３Ｂの上方への回動が規制されるように構成されている。尚、収納箱１の組立後に立起部２１と係止部２２とにわたって粘着テープを貼着してもよい。
【００３３】
このような構成の第１規制構造２０Ａを設けた収納箱１においては、内容物を収納した状態で、後底板３Ｂを上側へ押し上げようとすると、立起部２１の上端部が係止部２２の下端部に当接して、後底板３Ｂの折畳姿勢側（上側）への回動が規制されるので、底板３を押し上げて収納箱１の内容物を抜き取ったり入れ替えたりすることを効果的に防止できる。しかも、後底板３Ｂが組立姿勢においける収納箱１の底面と略同じ大きさなので、後底板３Ｂと側板２間に手指を挿入し難く、この点からも内容物を抜き取ったり入れ替えたりすることを効果的に防止できることになる。更に、内容物を装填した状態では、内容物が開閉蓋６の内面に当接して、後底板３Ｂの上方への回動が規制されるので、これによっても内容物の抜き取りや入れ替えを防止できることになる。
【００３４】
尚、図４に示す第１規制構造２０Ｂのように、係止部２２の下端部と前側板２Ｆ間に隙間を形成し、後底板３Ｂを折畳姿勢側へ回動させようとしたときに、立起部２１が係止部２２と前側板２Ｆ間に挿入されるように構成することもできる。この場合には、後底板３Ｂを上側へ押し上げようとすると、立起部２１が係止部２２と前側板２Ｆ間の接着部分を切り裂きながら上方へ移動する必要があり、後底板３Ｂの折畳姿勢側への回動が規制され、更に、立起部２１が係止部２２と前側板２Ｆとの折り返し部２３まで上方へ移動すると、折り返し部２３の内側に立起部２１の上端部が当接して、後底板３Ｂの上方への移動が規制されるので、内容物を抜き取ったり入れ替えたりすることを効果的に防止できることになる。
【００３５】
また、前記第１実施形態における立起部２１の上端部と係止部２２の下端部の一方を、上下方向に交互に突出する波形状に形成してもよい。例えば、図５、図６に示す収納箱１Ｃの第１規制構造２０Ｃのように、立起部２１Ｃの上端部に台形波状の波形部２４を形成し、各波部２４ａの上端部が係止部２２の下端部に僅かな隙間をあけて対面するように構成することができる。この場合には、例えば１つの波部２４ａと係止部２２との係合が外れても他の係止部２２との係合が維持されるので、内容物を抜き取ったり入れ替えたりすることを一層効果的に防止できる。また、図７〜図９に示す収納箱１Ｄの第１規制構造２０Ｄのように、立起部２１Ｄの上端部と係止部２２Ｄの下端部に上側及び下側へ突出する半円部を交互に連ねた波形部２５、２６を形成し、両波形部２５、２６が僅かな隙間をあけて対面するように構成することもできる。この場合には、両波形部２５、２６を構成する波部２５ａ、２６ａのうち１つの係合が外れても、他の波部２５ａ、２６ａの係合が維持され、しかも立起部２１と係止部２２との接触面積を大きく設定できるので、内容物を抜き取ったり入れ替えたりすることを一層効果的に防止できる。更に、立起部２１の上端部と係止部２２の下端部の一方を、振幅が前後方向となるように設定した波形状に形成することも可能である。この場合には、立起部２１と係止部２２との前後方向の位置関係が多少ずれた場合でも、後底板３Ｂの折畳姿勢側への回動を規制できるので好ましい。
【００３６】
更にまた、立起部２１の上端部と係止部２２の下端部の一方を上下方向に交互に突出する波形状に形成とともに前後方向に交互に突出する波形状に形成し、立起部２１又は係止部２２の波形部が係止部２２又は立起部２１のストレート部分又は波形部に噛み合うように構成することもできる。例えば、図５、図６に示す収納箱１Ｃにおいて、波形部２４の波部２４ａを前後に交互に突出させるとともに、係止部２２の下端を前後に突出する波部２４ａの前後方向の中間位置に配置させ、後底板３Ｂを上側へ押し上げようとすると、波形部２４の波部２４ａの波底に係止部２２が噛み合って、立起部２１の上方への移動が規制されるように構成することもできる。
【００３７】
また、前記第１規制構造２０Ａにおいて、係止部２２を省略し、立起部２１を前側板２Ｆの上縁と略同じ高さまで延ばしてもよい。この場合には、後底板３１Ｂを上側へ押し上げようとすると、立起部２１の上端部が開閉蓋６に当接し、後底板３１Ｂの折畳姿勢側への回動が規制されることになる。尚、立起部２１が開閉蓋６の折目線Ｌ７側に位置するように構成すると、開閉蓋６を開放したときに立起部２１の上端部が目立たなくなるので好ましい。
【００３８】
次に、第２実施形態〜第４実施形態の第１規制構造２０Ｅ〜２０Ｇについて説明するが、この第２実施形態〜第４実施形態の収納箱３０Ｅ〜３０Ｇは、前記実施例における収納箱１とは、その基本構成が多少異なるので、相違点について簡単に説明する。但し、収納箱３０Ｅ〜３０Ｇの基本構成は同じなので、収納箱３０Ｅの基本構成について説明する。また、前記実施例と同一部材には同一符号を付してその詳細な説明を省略する。
【００３９】
図１０、図１１に示すように、この収納箱３０Ｅは、前記実施例における右底板３Ｒと同じ形状の左底板３１Ｌを、左側板２Ｌに折目線Ｌ９を挟んで連設し、前記実施例における左底板３Ｌと同じ形状の右底板３１Ｒを、右側板２Ｒに折目線Ｌ１０を挟んで連設し、前記実施例における前底板３Ｆと同じ形状の後底板３１Ｂを、後側板２Ｂに折目線Ｌ１２を挟んで連設し、前記実施例における後底板３Ｂから立起部２１を省略した前底板３１Ｆを前側板２Ｆに折目線Ｌ１０を挟んで連設し、係止部２２を省略するとともに、第１規制構造２０Ａに代えて第１規制構造２０Ｅを設けたもので、それ以外については前記実施例と同様に構成されている。
【００４０】
第２実施形態の収納箱３０Ｅの第１規制構造２０Ｅは、図１０、図１１に示すように、前底板３１Ｆ（第１底板に相当する。）を組立姿勢における収納箱１の底面と略同じ大きさに形成し、前底板３１Ｆの遊端部の左右両側縁に、組立姿勢において左右の側板２Ｌ、２Ｒの内面に圧接される規制片３３を突出状に形成したものである。
【００４１】
規制片３３の突出長さ及び幅は任意に設定できるが、大きすぎると折畳姿勢から組立姿勢への収納箱１の切換操作性が低下し、小さすぎると折畳姿勢側への前底板３１Ｆの回動を十分に規制できないので、突出長さは、０．５ｍｍ〜５ｍｍ、好ましくは１ｍｍ〜３ｍｍに設定し、長さは３ｍｍ〜ｍｍ〜２０ｍｍ、好ましくは５ｍｍ〜１５ｍｍに設定することになる。また、規制片３３は前底板３１Ｆの遊端部の左右両側に設けることが好ましいが、一方にのみ設けることも可能であるし、組立姿勢において後側へ突出するように前底板３１Ｆの遊端部に設けて、後側板２Ｂの内面に圧接されるように構成することも可能であるし、前底板３１Ｆの左右両側へ突出する規制片と遊端部から後方へ突出する規制片とを併用することも可能である。
【００４２】
第３実施形態の収納箱３０Ｆの第１規制構造２０Ｆは、図１２〜図１４に示すように、前底板３１Ｆの遊端部に折目線Ｌ１３を挟んで、組立姿勢において後側板２Ｂの内面に沿って上方へ延びる立起部２１Ｆを形成し、立起部２１Ｆの左右両側縁に外方へ突出する規制片３５を突出状に形成し、後側板２Ｂと左右の側板２との折目線Ｌ１、Ｌ２付近にスリット３６を形成し、組立姿勢において規制片３５がスリット３６に嵌合することで、収納箱１の組立姿勢において前底板３１Ｆが上方へ回動することを規制するように構成したものである。
【００４３】
規制片３５の突出長さ及び高さは任意に設定できるが、大きすぎると折畳姿勢から組立姿勢への収納箱１の切換操作性が低下し、小さすぎると規制片３５がスリット３６から脱落して、折畳姿勢側への前底板３１Ｆの回動を十分に規制できないので、突出長さは、０．５ｍｍ〜５ｍｍ、好ましくは１ｍｍ〜３ｍｍに設定し、高さは３ｍｍ〜ｍｍ〜１５ｍｍ、好ましくは５ｍｍ〜１０ｍｍに設定することになる。また、規制片３５は立起部２１Ｆの両側に設けることが好ましいが、一方にのみ設けることも可能であるし、前底板３１Ｆの遊端部に左右両側へ突出するように形成することもできる。尚、この第３実施形態の第１規制構造２０Ｆは、収納箱１に適用することも可能である。
【００４４】
第４実施形態の収納箱３０Ｇの第１規制構造２０Ｇは、図１５、図１６に示すように、糊代部１１の下端部に傾斜状の係止部３７を形成し、前底板３１Ｆの遊端部に折目線Ｌ１３を挟んで、組立姿勢において後側板２Ｂの内面に沿って上方へ延びる立起部２１Ｇを形成し、立起部２１Ｇの左側部に傾斜状の規制部３８を係止部３７に対面可能に形成し、立起部２１Ｇの右端部に前記第２実施形態の第１規制構造２０Ｅにおける規制片３３を形成したものである。
【００４５】
この第１規制構造２０Ｇでは、前底板３１Ｆの左側に関しては、既存の糊代部１１を有効活用して、前底板３１Ｆの上方への回動を規制することができる。また、前底板３１Ｆの右側に関しては、規制片３３によりその上方への回動を規制することができる。尚、前底板３１Ｆの右側における上方への回動規制は、第１規制構造２０Ｆを採用することも可能である。
【００４６】
係止部２２の傾斜角度は任意に設定できるが、大きすぎると係止部３７と規制部３８の係合が外れやすくなり、小さすぎると規制部３８が曲がって、係止部３７と規制部３８の係合が外れやすくなるので、３０°〜６０°に設定することが好ましい。
【００４７】
尚、図１７〜図１９の収納箱３０Ｈの第１規制構造２０Ｈに示すように、規制部３８に代えて、立起部２１Ｈの右端部に、途中部に突片３９を形成した傾斜状の規制部３８Ｈを設け、糊代部１１の下端部を左側板２Ｌに糊付けしないで、組立姿勢で突片３９の先端部が係止部２２と後側板２Ｂ間に挿入されるように構成し、前底板３１Ｆを上方へ回動操作しようとしたときには、規制部３８Ｈと係止部２２との係合により、前底板３１Ｆの上方への回動が規制されるように構成することも好ましい実施の形態である。前底板３１Ｆの右側における上方への回動規制は、前記第２実施形態の第１規制構造２０Ｅにより行うこともできるし、前記第３実施形態の第１規制構造２０Ｆにより行うこともできる。
【００４８】
次に、第２規制構造４０を備えた収納箱４１について説明する。尚、収納箱４１の基本構成は、第２実施形態の収納箱３０Ｅにおける第１規制構造２０Ｅを省略したものと同じなので、同一部材には同一符号を付してその詳細な説明を省略する。
【００４９】
第２規制構造４０について説明すると、図２０〜図２２に示すように、左底板３１Ｌの重合部８には組立姿勢において折目線Ｌ１２側へ突出する第１係合部４２が形成され、第１係合部４２と重合部８を除く本体部３１Ｌａ間には第１切欠部４３が形成され、第１係合部４２の基部にはクビレ部４２ａが形成されている。後底板３１Ｂの重合部７を除く本体部３１Ｂａには組立姿勢において折目線Ｌ１１側へ突出する第２係合部４４が第１切欠部４３に対応させて形成され、第２係合部４４と重合部７間には第１係合部４２が挿入可能な第２切欠部４５が形成され、第２係合部４４の基部にはクビレ部４４ａが形成されている。
【００５０】
そして、収納箱４１を折畳姿勢から組立姿勢に、その姿勢を切り換える途中で、第１係合部４２と第２係合部４４とが係合し、組立姿勢に切り換えた状態で、後底板３１Ｂの下側に配置される左底板３１Ｌの第１係合部４２が、第２切欠部４５を通って後底板３１Ｂの上側に配置されるとともに、両係合部４２、４４のクビレ部４２ａ、４４ａが相互に係合して、左底板３１Ｌと後底板３１Ｂとの折畳姿勢側への回動が規制され、これにより第１底板３１Ｆの折畳姿勢側への回動が間接的に規制されて、底板３を上方へ押し上げることによる内容物の抜き取りや交換を防止できる。また、両係合部４２、４４のクビレ部４２ａ、４４ａの係合は組立姿勢への切換操作の最終段階に行われるので、ワンタッチで収納箱４１を組み立てることが可能となる。
【００５１】
次に、第２規制構造を備えた他の収納箱の実施の形態について説明する。
この収納箱４１Ａの基本構成は、図１、図２に示す収納箱１から第１規制構造２０Ａの立起部２１及び係止部２２を省略し、収納箱１を上下方向に細長く構成するとともに前後方向に扁平に構成したもので、収納箱１に対応するする部材には同一符号を付してその詳細な説明を省略する。
【００５２】
この収納箱４１Ａの第２規制構造４０Ａについて説明すると、図２３〜図２５に示すように、右底板３Ｒの重合部８には組立姿勢において折目線Ｌ１１側へ突出する第１係合部５０が形成され、第１係合部５０と重合部８間には第１切欠部５１が形成され、第１係合部５０の基部にはクビレ部５０ａが形成されている。前底板３Ｆの重合部７を除く本体部３Ｆａの左右方向の途中部には、組立姿勢において第１切欠部５１に対応させて、折目線Ｌ１２側へ突出する第２係合部５２が形成され、第２係合部５２の基部にはクビレ部５２ａが形成されている。また、前側板２Ｆの上端部には補強部５３が連設され、この補強部５３は内側へ折り返して前側板２Ｆに重ね合わせて糊付けされている。但し、この補強部５３は省略することも可能である。
【００５３】
そして、収納箱４１Ａを折畳姿勢から組立姿勢に、その姿勢を切り換える途中で、第１係合部５０と第２係合部５２とが係合し、組立姿勢に切り換えた状態で、前底板３Ｆの下側に配置される右底板３Ｒの第１係合部５０が、第１切欠部５１を通って前底板３Ｆの上側に配置されるとともに、両係合部５０、５２のクビレ部５０ａ、５２ａが相互に係合して、前底板３Ｆと右底板３Ｒとの折畳姿勢側への回動が規制され、これにより第１底板３Ｂの折畳姿勢側への回動が間接的に規制されて、底板３を上方へ押し上げることによる内容物の抜き取りや交換を防止できる。また、両係合部５０、５２のクビレ部５０ａ、５２ａの係合は組立姿勢への切換操作の最終段階に行われるので、ワンタッチで収納箱４１Ａを組み立てることが可能となる。
【００５４】
尚、１つの収納箱に対して前記第１規制構造と第２規制構造を備えさせて、第１底板３Ｂの折畳姿勢側への回動を一層効果的に防止することもできる。例えば、図２６、図２７に示す収納箱４１Ｂのように、前記収納箱４１Ａにおいて、後側板２Ｂの前端部に前側板２Ｆの内面に沿って上方へ延びる立起部５５を形成し、組立姿勢において、補強部５３の下端部と立起部５５の上端部とが対面するように構成し、補強部５３と立起部５５とからなる第１規制構造５６により第１底板３Ｂの折畳姿勢側への回動を規制するように構成することができる。
【図面の簡単な説明】
【００５５】
【図１】収納箱の開蓋状態での斜視図
【図２】同収納箱の素材シートの平面図
【図３】図１のＡ−Ａ線断面図
【図４】他の構成の第１規制構造の図３相当図
【図５】他の構成の収納箱の開蓋状態での斜視図
【図６】同収納箱の素材シートの平面図
【図７】他の構成の収納箱の開蓋状態での斜視図
【図８】同収納箱の素材シートの平面図
【図９】図７のＢ−Ｂ線断面図
【図１０】他の構成の収納箱の開蓋状態での斜視図
【図１１】同収納箱の素材シートの平面図
【図１２】他の構成の収納箱の開蓋状態での斜視図
【図１３】同収納箱の素材シートの平面図
【図１４】図１２のＣ−Ｃ断面図
【図１５】他の構成の収納箱の開蓋状態での斜視図
【図１６】同収納箱の素材シートの平面図
【図１７】他の構成の収納箱の開蓋状態での斜視図
【図１８】同収納箱の素材シートの平面図
【図１９】図１７のＤ−Ｄ線断面図
【図２０】第２規制構造を備えた収納箱の開蓋状態での斜視図
【図２１】同収納箱の素材シートの平面図
【図２２】同収納箱の組立状態での底面図
【図２３】第２規制構造を備えた他の構成の収納箱における一部を切り欠いた開蓋状態での斜視図
【図２４】同収納箱の素材シートの平面図
【図２５】同収納箱の組立状態での底面図
【図２６】第１規制構造及び２規制構造を備えた収納箱における一部を切り欠いた開蓋状態での斜視図
【図２７】同収納箱の素材シートの平面図
【符号の説明】
【００５６】
１      収納箱
２Ｌ    左側板            ２Ｒ    右側板
２Ｆ    前側板            ２Ｂ    後側板
３Ｌ    左底板            ３Ｒ    右底板
３Ｆ    前底板            ３Ｂ    後底板
４      側部翼板          ５      側部翼板
６      開閉蓋            ７      重合部
８      重合部            ９      折曲案内線
１０    折曲案内線        １１    糊代部
１２    挿入片            １３    折曲案内線
１４    貼着部            １５    貼着部
１６    貼着部            １７    貼着部
２０Ａ  第１規制構造          ２１    立起部
２２    係止部
２０Ｂ  第１規制構造      ２３    折り返し部
１Ｃ    収納箱            ２０Ｃ  第１規制構造
２１Ｃ  立起部            ２４    波形部
２４ａ  波部
１Ｄ    収納箱            ２０Ｄ  第１規制構造
２１Ｄ  立起部            ２２Ｄ  係止部
２５    波形部            ２５ａ  波部
２０Ｅ  第１規制構造      ３０Ｅ  収納箱
３３    規制片
３１Ｌ  左底板            ３１Ｒ  右底板
３１Ｆ  前底板            ３１Ｂ  後底板
２０Ｆ  第１規制構造      ３０Ｆ  収納箱
２１Ｆ  立起部            ３５    規制片
３６    スリット
２０Ｇ  第１規制構造      ２１Ｇ  立起部
３０Ｇ  収納箱            ３７    係止部
３８    規制部
２０Ｈ  第１規制構造      ２１Ｈ  立起部
３０Ｈ  収納箱            ３８Ｈ  規制部
３９    突片
Ｌ１〜Ｌ１４    折目線
４０    第２規制構造      ４１    収納箱
４２    第１係合部        ４２ａ  クビレ部
４３    第１切欠部        ４４    第２係合部
４４ａ  クビレ部          ４５    第２切欠部
３１Ｌａ  本体部          ３１Ｂａ  本体部
４０Ａ  第２規制構造      ４１Ａ  収納箱
３Ｆａ  本体部            ５０    第１係合部
５０ａ  クビレ部          ５１    第１切欠部
５２    係合部            ５２ａ  クビレ部
５３    補強部            ４１Ｂ  収納箱
５５    立起部            ５６    第１規制構造
【図１】
2007186227.tif 000003
【図２】
2007186227.tif 000004
【図３】
2007186227.tif 000005
【図４】
2007186227.tif 000006
【図５】
2007186227.tif 000007
【図６】
2007186227.tif 000008
【図７】
2007186227.tif 000009
【図８】
2007186227.tif 000010
【図９】
2007186227.tif 000011
【図１０】
2007186227.tif 000012
【図１１】
2007186227.tif 000013
【図１２】
2007186227.tif 000014
【図１３】
2007186227.tif 000015
【図１４】
2007186227.tif 000016
【図１５】
2007186227.tif 000017
【図１６】
2007186227.tif 000018
【図１７】
2007186227.tif 000019
【図１８】
2007186227.tif 000020
【図１９】
2007186227.tif 000021
【図２０】
2007186227.tif 000022
【図２１】
2007186227.tif 000023
【図２２】
2007186227.tif 000024
【図２３】
2007186227.tif 000025
【図２４】
2007186227.tif 000026
【図２５】
2007186227.tif 000027
【図２６】
2007186227.tif 000028
【図２７】
2007186227.tif 000029